(57)【要約】【課題】領域毎に設定された省電力目標値を適切に再配分することができる電力管理システムを提供する。【解決手段】電力管理システム１は、エリアＥ１に存在する、電力を消費する機器ａ１、ａ２、ａ３を検出する検出手段２３と、検出された機器ａ１、ａ２、ａ３に基づいてエリアＥ１における電力需要量を予測する需要量予測手段２６と、予測された電力需要量と予め設定された全体の省電力目標値とに基づいてエリアＥ１に領域目標値を配分する配分手段１２と、を含み、該領域目標値が配分されたエリアＥ１において機器の使用状況が変動した場合、需要量予測手段２６は変動後の電力需要量を予測し、配分手段１２は変動後の電力需要量に基づいて該領域目標値を補正し、補正した補正領域目標値をエリアＥ１に再配分する。【選択図】図４
2015023745.tif 000002
【特許請求の範囲】
【請求項１】
領域内に存在する、電力を消費する機器を検出する検出手段と、
前記検出手段により検出された前記機器に基づいて、前記領域における電力需要量を予測する需要量予測手段と、
前記需要量予測手段により予測された前記電力需要量と、予め設定された全体の省電力目標値とに基づいて、前記領域に領域目標値を配分する配分手段と、を含み、
前記配分手段により前記領域目標値が配分された前記領域において前記機器の使用状況が変動した場合、前記需要量予測手段は、前記変動した機器の使用状況に基づいて変動後の電力需要量を予測し、
前記配分手段は、前記需要量予測手段により予測された前記変動後の電力需要量に基づいて前記領域目標値を補正し、補正した補正領域目標値を前記領域に再配分する、
ことを特徴とする電力管理システム。
【請求項２】
前記検出手段は、前記領域における前記機器の出入りを検出することにより前記機器の使用状況の変動を検出する、ことを特徴とする請求項１に記載の電力管理システム。
【請求項３】
第１領域に存在する前記機器が第２領域に移動した場合、前記需要量予測手段は、該機器に設定された消費電力量を減算して前記第１領域における前記電力需要量を予測する一方、該機器に設定された消費電力量を加算して前記第２領域における前記電力需要量を予測する、ことを特徴とする請求項２に記載の電力管理システム。
【請求項４】
前記検出手段は、前記領域における前記機器を使用する使用者の出入りを検出することにより前記機器の使用状況の変動を検出する、ことを特徴とする請求項１から３の何れか１項に記載の電力管理システム。
【請求項５】
前記配分手段は、前記機器の使用状況が変動する前に前記需要量予測手段により予測された前記電力需要量と、前記機器の使用状況が変動した後に前記需要量予測手段により予測された前記変動後の電力需要量との差が閾値以上の場合に、前記領域目標値を補正する、ことを特徴とする請求項１から４の何れか１項に記載の電力管理システム。
【請求項６】
前記需要量予測手段は、前記検出手段により検出された前記領域に存在する全ての前記機器に設定された電力消費量を合算して、該領域における前記電力需要量又は前記変動後の電力需要量を予測する、ことを特徴とする請求項１から５の何れか１項に記載の電力管理システム。
【請求項７】
前記需要量予測手段は、前記検出手段により検出された前記機器における過去の電力消費量の履歴データに基づいて、該機器における電力需要量を予測する、ことを特徴とする請求項１から６の何れか１項に記載の電力管理システム。
【請求項８】
前記配分手段を含み、前記省電力目標値を取得するセンタサーバと、
前記センタサーバにネットワーク接続され、それぞれが前記検出手段と前記需要量予測手段とを含む、複数のエリアサーバと、
を含む、ことを特徴とする請求項１から７の何れか１項に記載の電力管理システム。
【請求項９】
前記配分手段は、前記領域内に存在する各機器に前記領域目標値を再配分する、ことを特徴とする請求項１から８の何れか１項に記載の電力管理システム。
【請求項１０】
領域内に存在する、電力を消費する機器を検出する検出手段と、
前記検出手段により検出された前記機器に基づいて、前記複数の領域それぞれにおける電力需要量を予測する需要量予測手段と、
前記需要量予測手段により予測された前記電力需要量と、予め設定された全体の省電力目標値とに基づいて、前記複数の領域それぞれに領域目標値を配分する配分手段と、を含み、
前記配分手段により前記領域目標値が配分された第１領域において前記機器の台数が変動した場合、前記需要量予測手段は、前記変動した台数に基づいて変動後の前記第１領域における電力需要量を予測し、
前記配分手段は、前記需要量予測手段により予測された前記変動後の電力需要量に基づいて前記第１領域の領域目標値を補正し、補正した補正領域目標値を前記第１領域に再配分する、
ことを特徴とする電力管理システム。
【請求項１１】
領域内に存在する、電力を消費する機器を検出する検出手段、
前記検出手段により検出された前記機器に基づいて、前記領域における電力需要量を予測する需要量予測手段、及び、
前記需要量予測手段により予測された前記電力需要量と、予め設定された全体の省電力目標値とに基づいて、前記領域に領域目標値を配分する配分手段、
としてコンピュータを機能させるためのプログラムであって、
前記配分手段により前記領域目標値が配分された前記領域において前記機器の使用状況が変動した場合、前記需要量予測手段は、前記変動した機器の使用状況に基づいて変動後の電力需要量を予測し、
前記配分手段は、前記需要量予測手段により予測された前記変動後の電力需要量に基づいて前記領域目標値を補正し、補正した補正領域目標値を前記領域に再配分する、
ことを特徴とするプログラム。
【発明の詳細な説明】
【技術分野】
【０００１】
本発明は、電力管理システム及びプログラムに関する。
【背景技術】
【０００２】
電力会社が各電力需要家に対して省電力目標値（省エネルギー目標値）を設定することにより、省電力を促進するシステムが導入されている。各電力需要家は設定された省電力目標値を達成するために、様々な節電対策を講じている。
【０００３】
特許文献１には、電力需要家が無理なく省エネルギー目標値を達成するための省エネルギー促進システムが記載されている。このシステムでは、センタサーバが電力会社から省エネルギー目標値を受け取ると、エリア毎の特徴、例えば大口需要家の有無及び個数を考慮して、エリア毎に省エネルギー目標値を配分している。
【先行技術文献】
【特許文献】
【０００４】
【特許文献１】特開２０１１−１３５７４５号公報
【発明の概要】
【発明が解決しようとする課題】
【０００５】
本発明は、領域毎に設定された省電力目標値を適切に再配分することができる電力管理システム及びプログラムを提供することを目的とする。
【課題を解決するための手段】
【０００６】
本発明の請求項１に係る電力管理システムは、領域内に存在する、電力を消費する機器を検出する検出手段と、前記検出手段により検出された前記機器に基づいて、前記領域における電力需要量を予測する需要量予測手段と、前記需要量予測手段により予測された前記電力需要量と、予め設定された全体の省電力目標値とに基づいて、前記領域に領域目標値を配分する配分手段と、を含み、前記配分手段により前記領域目標値が配分された前記領域において前記機器の使用状況が変動した場合、前記需要量予測手段は、前記変動した機器の使用状況に基づいて変動後の電力需要量を予測し、前記配分手段は、前記需要量予測手段により予測された前記変動後の電力需要量に基づいて前記領域目標値を補正し、補正した補正領域目標値を前記領域に再配分する、ことを特徴とする。
【０００７】
本発明の請求項２に係る電力管理システムは、請求項１に記載の構成において、前記検出手段は、前記領域における前記機器の出入りを検出することにより前記機器の使用状況の変動を検出する。
【０００８】
本発明の請求項３に係る電力管理システムは、請求項１又は２に記載の構成において、第１領域に存在する前記機器が第２領域に移動した場合、前記需要量予測手段は、該機器に設定された消費電力量を差し引いて前記第１領域における前記電力需要量を予測する一方、該機器に設定された消費電力量を加算して前記第２領域における前記電力需要量を予測する。
【０００９】
本発明の請求項４に係る電力管理システムは、請求項１から３の何れか１項に記載の構成において、前記検出手段は、前記領域における前記機器を使用する使用者の出入りを検出することにより前記機器の使用状況の変動を検出する。
【００１０】
本発明の請求項５に係る電力管理システムは、請求項１から４の何れか１項に記載の構成において、前記配分手段は、前記機器の使用状況が変動する前に前記需要量予測手段により予測された前記電力需要量と、前記機器の使用状況が変動した後に前記需要量予測手段により予測された前記変動後の電力需要量との差が閾値以上の場合に、前記領域目標値を補正する。
【００１１】
本発明の請求項６に係る電力管理システムは、請求項１から５の何れか１項に記載の構成において、前記需要量予測手段は、前記検出手段により検出された前記領域に存在する全ての前記機器に設定された電力消費量を合算して、該領域における前記電力需要量又は前記変動後の電力需要量を予測する。
【００１２】
本発明の請求項７に係る電力管理システムは、請求項１から６の何れか１項に記載の構成において、前記需要量予測手段は、前記検出手段により検出された前記機器における過去の電力消費量の履歴データに基づいて、該機器における電力需要量を予測する。
【００１３】
本発明の請求項８に係る電力管理システムは、請求項１から７の何れか１項に記載の構成において、前記配分手段を含み、前記省電力目標値を取得するセンタサーバと、前記センタサーバにネットワーク接続され、それぞれが前記検出手段と前記需要量予測手段とを含む、複数のエリアサーバと、を含む。
【００１４】
本発明の請求項９に係る電力管理システムは、請求項１から８の何れか１項に記載の構成において、前記配分手段は、前記領域内に存在する各機器に前記領域目標値を再配分する。
【００１５】
本発明の請求項１０に係る電力管理システムは、領域内に存在する、電力を消費する機器を検出する検出手段と、前記検出手段により検出された前記機器に基づいて、前記複数の領域それぞれにおける電力需要量を予測する需要量予測手段と、前記需要量予測手段により予測された前記電力需要量と、予め設定された全体の省電力目標値とに基づいて、前記複数の領域それぞれに領域目標値を配分する配分手段と、を含み、前記配分手段により前記領域目標値が配分された第１領域において前記機器の台数が変動した場合、前記需要量予測手段は、前記変動した台数に基づいて変動後の前記第１領域における電力需要量を予測し、前記配分手段は、前記需要量予測手段により予測された前記変動後の電力需要量に基づいて前記第１領域の領域目標値を補正し、補正した補正領域目標値を前記第１領域に再配分する、ことを特徴とする。
【００１６】
本発明の請求項１１に係るプログラムは、領域内に存在する、電力を消費する機器を検出する検出手段、前記検出手段により検出された前記機器に基づいて、前記領域における電力需要量を予測する需要量予測手段、及び、前記需要量予測手段により予測された前記電力需要量と、予め設定された全体の省電力目標値とに基づいて、前記領域に領域目標値を配分する配分手段、としてコンピュータを機能させるためのプログラムであって、前記配分手段により前記領域目標値が配分された前記領域において前記機器の使用状況が変動した場合、前記需要量予測手段は、前記変動した機器の使用状況に基づいて変動後の電力需要量を予測し、前記配分手段は、前記需要量予測手段により予測された前記変動後の電力需要量に基づいて前記領域目標値を補正し、補正した補正領域目標値を前記領域に再配分する、ことを特徴とする。このプログラムは、ＣＤ−ＲＯＭやＤＶＤ−ＲＯＭなどのコンピュータ可読情報記憶媒体に格納されてもよい。
【発明の効果】
【００１７】
本発明の請求項１、１０、１１の構成によれば、機器の使用状況が変動した場合、変動後の電力需要量に基づいて補正された領域目標値が領域に再配分される。よって、領域毎に設定された省電力目標値（領域目標値）が適切に再配分される。
【００１８】
本発明の請求項２の構成によれば、領域における機器の出入りを検出することにより機器の使用状況の変動が検出される。よって、領域に存在する機器の動的な変動を検出して、電力需要量の変動を検出できる。
【００１９】
本発明の請求項３の構成によれば、機器に設定された消費電力量を加減算して領域における電力需要量が予測される。
【００２０】
本発明の請求項４の構成によれば、領域における機器を使用する使用者の出入りを検出することにより機器の使用状況の変動が検出される。よって、領域に存在するユーザをリアルタイムに監視、管理して、ユーザの増減、移動に伴う電力需要量の変動を検出できる。
【００２１】
本発明の請求項５の構成によれば、機器の使用状況が変動する前の電力需要量と、機器の使用状況が変動した後に電力需要量との差が閾値以上の場合に、領域目標値が補正される。よって、頻繁に領域目標値が変更されることがないため、領域に応じた目標設定と使用状況とのバランスが図られる。
【００２２】
本発明の請求項６の構成によれば、領域に存在する全ての機器に設定された電力消費量が合算されて電力需要量又は前記変動後の電力需要量が予測される。
【００２３】
本発明の請求項７の構成によれば、機器における過去の電力消費量の履歴データに基づいて、機器における電力需要量が予測される。よって、電力需要量の予測の精度が向上する。
【００２４】
本発明の請求項８の構成によれば、電力管理システムは、センタサーバと、センタサーバにネットワーク接続された複数のエリアサーバとを含む。
【００２５】
本発明の請求項９の構成によれば、領域内に存在する各機器に領域目標値が再配分される。よって、機器毎に適切な目標値が再設定される。
【図面の簡単な説明】
【００２６】
【図１】本実施形態に係る電力管理システムの全体構成図である。
【図２】電力管理システムの態様を示す模式図である。
【図３】電力管理システムの態様を示す模式図である。
【図４】実施例１に係る電力管理システムの機能ブロック図である。
【図５】端末装置ａ３から取得した位置情報を示すテーブルである。
【図６】エリアＥ１の範囲の位置情報を示すテーブルである。
【図７】エリアＥ１内に存在する端末装置の情報を示すテーブルである。
【図８】電力管理システムの動作フロー図である。
【図９】エリアＥ２内に存在する端末装置の情報を示すテーブルである。
【図１０】実施例２に係る電力管理システムの機能ブロック図である。
【図１１】端末装置の過去情報を示すテーブルである。
【図１２】過去情報取得手段及び需要量予測手段の動作フローである。
【図１３】過去の消費データと予測データとを示すグラフである。
【図１４】実施例３に係る電力管理システムの機能ブロック図である。
【図１５】需要量予測値の算出方法を示す動作フローである。
【図１６】各端末装置の識別情報を示すテーブルである。
【図１７】プリンタの情報を示すテーブルである。
【発明を実施するための形態】
【００２７】
本発明の一実施形態について、図面を用いて以下に説明する。
【００２８】
図１は、本実施形態に係る電力管理システム１の全体構成図である。同図に示すように、電力管理システム１は、センタサーバ１０と、複数のエリアサーバ２０と、複数の端末装置３０とを含んでいる。センタサーバ１０とエリアサーバ２０とはネットワークを介して接続され、エリアサーバ２０と端末装置３０とはネットワークを介して接続されている。電力管理システム１は、例えば事業所、工場、住宅等、様々な施設に設置される。電力管理システム１が事業所に設置される場合、センタサーバ１０は例えば事業所のネットワークを集中管理する管理サーバに設置され、エリアサーバ２０は例えば事業所内の各部門（エリアＥ１、Ｅ２、Ｅ３、…）に設置される。この場合、端末装置３０は、例えば各部門内に設置されるコンピュータ、複合機、携帯端末装置等である。
【００２９】
センタサーバ１０は、例えば電力会社や事業所の責任者等から予め設定された省電力目標値（省エネルギー目標値）を受け取るとともに、各エリアサーバ２０から電力需要量の予測値（以下、需要量予測値という。）を受け取り、これら省電力目標値及び各需要量予測値に基づいて、各エリアサーバ２０に対して個別に省電力目標値（以下、エリア（領域）目標値という。）を配分する。また、センタサーバ１０は、各エリアサーバ２０から端末装置３０の使用状況が変動した場合の変動後の電力需要量の予測値（以下、変動後需要量予測値という。）を受け取り、変動後需要量予測値に応じてエリア目標値を補正した省電力目標値（以下、補正エリア目標値という。）を、各エリアサーバ２０に対して個別に再配分する。なお、省電力目標値は、削除すべき電力量の値としてもよいし、消費可能な電力量の上限値としてもよい。
【００３０】
エリアサーバ２０は、センタサーバ１０からエリア目標値を受け取ると、各端末装置３０に対して個別に省電力目標値（以下、端末目標値という。）を配分する。また、エリアサーバ２０は、対応するエリア内に存在する端末装置３０の個数や出入り（移動）を管理し、対応するエリア内の電力需要量を管理する。また、エリアサーバ２０は、対応するエリア内におけるユーザの出入り（移動）を管理する。さらに、エリアサーバ２０は、対応するエリア内に存在する端末装置３０やユーザの出入りが生じ電力需要量が変動すると、変動後需要量予測値を算出し、算出した変動後需要量予測値をセンタサーバへ送信する。
【００３１】
端末装置３０は、エリアサーバ２０から端末目標値を受け取る。端末装置３０はエリア毎に１又は複数設置される。端末装置３０としては、例えばエリア内に固定設置されたコンピュータ、複合機及び空調機や、各エリアを相互に移動可能な携帯端末装置（ノードＰＣやモバイル機器）等がある。
【００３２】
図２は、事業所における電力管理システム１の態様を示す模式図である。同図に示すように、電力管理システム１は、センタサーバ１０にネットワーク接続された２台のエリアサーバ２０と、オフィスエリアＥ１のエリアサーバ２０にネットワーク接続された３台のコンピュータ３０と、ミーティングエリアＥ２のエリアサーバ２０にネットワーク接続された１台のコンピュータ３０とを含んでいる。
【００３３】
図３を例に挙げて電力管理システム１の概要を説明する。
【００３４】
まず、センタサーバ１０は、電力会社から省電力目標値として１０００Ｗ／ｈを受け取る。センタサーバ１０は、各エリアの特徴に基づいてエリア目標値を配分する。ここでは、１台当たり２５０Ｗ／ｈの電力を消費するコンピュータが、オフィスエリアＥ１に３台（ａ１、ａ２、ａ３）設置され、ミーティングエリアＥ２に１台（ｂ１）設置されているとすると、オフィスエリアＥ１のエリアサーバ２０ａに７５０Ｗ／ｈのエリア目標値が配分され、ミーティングエリアＥ２のエリアサーバ２０ｂに２５０Ｗ／ｈのエリア目標値が配分される。
【００３５】
上記のように各エリアＥ１、Ｅ２に省電力目標値が配分された後、オフィスエリアＥ１にいたユーザが１台のコンピュータａ３（例えばノートＰＣ）を持ってミーティングエリアＥ２に移動すると、コンピュータａ３の移動に基づいて、エリアサーバ２０ａは変動後のオフィスエリアＥ１の需要量予測値を算出し、エリアサーバ２０ｂは変動後のミーティングエリアＥ２の需要量予測値を算出する。ここでは、エリアサーバ２０ａはオフィスエリアＥ１の需要量予測値として５００Ｗ／ｈを算出し、エリアサーバ２０ｂはミーティングエリアＥ２の需要量予測値として５００Ｗ／ｈを算出する。
【００３６】
エリアサーバ２０ａ、２０ｂにより需要量予測値が算出されると、センタサーバ１０は需要量予測値に基づいて、エリアサーバ２０ａ、２０ｂに対して個別に補正エリア目標値を再配分する。ここでは、センタサーバ１０は、エリアサーバ２０ａに５００Ｗ／ｈの補正エリア目標値を再配分し、エリアサーバ２０ｂに５００Ｗ／ｈの補正エリア目標値を再配分する。
【００３７】
このように、電力管理システム１は、エリア内の端末装置の移動に伴う電力需要量の変動を考慮して、各エリアにおけるエリア目標値を管理する構成を有している。以下では、上記構成を実現するための具体的な構成について説明する。なお、以下では必要に応じて、１つのエリアＥ１を管理するエリアサーバ２０ａに着目して説明する。
【００３８】
［実施例１］
図４は、実施例１に係る電力管理システム１の機能ブロック図である。同図では、センタサーバ１０と、センタサーバ１０にネットワーク接続された、エリアＥ１を管理するエリアサーバ２０ａと、エリアサーバ２０ａにネットワーク接続された、エリアＥ１に含まれる３台の端末装置ａ１、ａ２、ａ３とを示している。端末装置ａ１、ａ２は固定式のコンピュータ（例えばデスクトップＰＣ）であり、端末装置ａ３は移動式のコンピュータ（例えばノートＰＣ）である。
【００３９】
センタサーバ１０は、需要量予測取得手段１１と、配分手段１２とを含んでいる。
【００４０】
需要量予測取得手段１１は、例えば電力会社から省電力目標値Ｐ０を受け取ると、各エリアサーバ２０に対して各エリアの需要量予測値を算出するよう要求し、各エリアサーバ２０から各エリアの需要量予測値を取得する。また、需要量予測取得手段１１は、電力需要量の変動が生じたエリアのエリアサーバ２０から、変動後需要量予測値を取得する。
【００４１】
配分手段１２は、需要量予測取得手段１１により取得された各エリアの需要量予測値に基づいて、各エリアのエリア目標値Ｐ１、Ｐ２、…、Ｐｎ（ｎはエリア数）を算出し、算出したエリア目標値を各エリアサーバ２０に配分する。各エリアの需要量予測値をＪ１、Ｊ２、Ｊ３、…、Ｊｎとすると、例えばエリア目標値Ｐ１は以下の式（１）により算出される。
Ｐ１＝Ｐ０×Ｊ１／（Ｊ１＋Ｊ２＋Ｊ３＋…＋Ｊｎ）・・・（１）
また、省電力目標値Ｐ０と各エリア目標値とは以下の関係式（２）を満たす。
Ｐ０＝Ｐ１＋Ｐ２＋Ｐ３＋…＋Ｐｎ・・・（２）
【００４２】
また、配分手段１２は、需要量予測取得手段１１により取得された変動後需要量予測値に基づいて、対応するエリアの補正エリア目標値を算出し、算出した補正エリア目標値を対応するエリアサーバ２０に再配分する。目標値Ｐ０と各エリア目標値と各補正エリア目標値とは以下の関係式（３）を満たす。なお、Ｐ１´及びＰ２´は、電力需要量の変動が生じたエリアの補正エリア目標値を表す。
Ｐ０＝Ｐ１＋Ｐ２＋Ｐ３＋…＋Ｐｎ＝Ｐ１´＋Ｐ２´＋Ｐ３＋…＋Ｐｎ・・・（３）
【００４３】
ここで配分手段１２は、需要量予測取得手段１１により取得されたエリアの変動後需要量予測値と、変動前の需要量予測値との差が閾値以上であるか否かを判定し、該差が閾値以上である場合に、該エリアの補正エリア目標値を算出する。配分手段１２は、上記差が閾値未満である場合は、上記エリアの補正エリア目標値を算出せず、上記再配分の処理を行わない。なお上記閾値は、例えば変動前の需要量予測値の１０％とすることができる。
【００４４】
エリアサーバ２０ａは、目標値取得手段２１と、配分手段２２と、検出手段２３と、エリア管理手段２４と、記憶部２５と、需要量予測手段２６とを含んでいる。
【００４５】
目標値取得手段２１は、センタサーバ１０の配分手段１２により配分されたエリア目標値を取得する。また目標値取得手段２１は、センタサーバ１０の配分手段１２により再配分された補正エリア目標値を取得する。
【００４６】
配分手段２２は、目標値取得手段２１がエリア目標値を取得すると、対応する端末装置ａ１、ａ２、ａ３に応じて端末目標値を配分する。また、配分手段２２は、目標値取得手段２１が補正エリア目標値を取得すると、補正エリア目標値を対応する端末装置ａ１、ａ２、ａ３に応じて端末目標値を再配分する。
【００４７】
検出手段２３は、エリアＥ１内に存在する端末装置の移動を検出する。検出手段２３は、検出結果をエリア管理手段２４へ送信する。例えば、端末装置ａ３がエリアＥ１から退室した場合、検出手段２３は、その旨を示す情報をエリア管理手段２４へ送信する。ここで検出手段２３は、各端末装置に設けられた位置情報送信手段（例えばＧＰＳ）から位置情報（例えば緯度、経度、高度）を取得して上記移動を検出する。図５には端末装置ａ３から取得した位置情報を示し、図６にはエリアＥ１の範囲の位置情報を示している。検出手段２３は、図５及び図６の両情報を比較することにより上記移動を判定する。なお図６に示すエリアＥ１の位置情報は、記憶部２５に記憶されている。なお、検出手段２３における端末装置の移動の検出方法はこれに限定されない。
【００４８】
エリア管理手段２４は、エリアＥ１内に存在する端末装置３０を管理する。また、エリア管理手段２４は、検出手段２３から上記検出結果を受信すると、エリアＥ１内に存在する端末装置３０の情報を更新する。図７には、エリアＥ１内に存在する端末装置３０の情報を示すテーブルを示している。図７に示すテーブルは記憶部２５に記憶されており、テーブルの情報はエリア管理手段２４により適宜更新される。例えば、端末装置ａ３がエリアＥ１から退室した場合、エリア管理手段２４は、検出手段２３の検出結果に基づいて端末装置ａ３の情報をテーブルから削除し（図７（ｂ）参照）、端末装置ａ４がエリアＥ１に入室した場合、エリア管理手段２４は、検出手段２３の検出結果に基づいて端末装置ａ４の情報をテーブルに追加する（図７（ｃ）参照）。なお図７に示すテーブルの各情報は、エリアサーバ２０とは別個の管理サーバ（図示せず）から取得してもよい。
【００４９】
需要量予測手段２６は、センタサーバ１０の需要量予測取得手段１１から需要量予測値の算出要求を受け取ると、エリアＥ１の需要量予測値を算出し、算出した需要量予測値をセンタサーバ１０へ送信する。具体的には、需要量予測手段２６は、上記需要量予測値の算出要求を受け取ると、記憶部２５に記憶されている端末装置３０の情報（図７（ａ）のテーブル）に基づいてエリアＥ１の需要量予測値を算出する。例えば、図７（ａ）の場合、需要量予測値は７００Ｗ／ｈとなる。また、需要量予測手段２６は、エリア管理手段２４により端末装置の情報が更新されると、更新されたテーブル（図７（ｂ）、（ｃ））の情報に基づいてエリアＥ１の変動後需要量予測値を算出し、算出した変動後需要量予測値をセンタサーバ１０へ送信する。例えば、図７（ｂ）の場合、需要量予測値は５５０Ｗ／ｈとなり、図７（ｃ）の場合、需要量予測値は８８０Ｗ／ｈとなる。
【００５０】
図８は、電力管理システム１の動作フロー図である。ここでは図３の例に示すように、オフィスエリアＥ１の端末装置ａ３がミーティングエリアＥ２に移動した場合の電力管理システム１の動作について説明する。エリアＥ１を管理するサーバをエリアサーバ１とし、エリアＥ２を管理するサーバをエリアサーバ２とする。
【００５１】
まず、センタサーバ１０は、電力会社から省電力目標値として１０００Ｗ／ｈを受け取ると（Ｓ１０１）、需要量予測取得手段１１がエリアサーバ１、２に対してエリアＥ１、Ｅ２の需要量予測値を算出するよう要求する（Ｓ１０２）。
【００５２】
エリアサーバ１がセンタサーバ１０の需要量予測取得手段１１から需要量予測値の算出要求を受け取ると、エリアサーバ１の需要量予測手段２６は、記憶部２５のテーブル（図７（ａ）参照）を参照して、エリアＥ１の需要量予測値を算出する（Ｓ１０３）。ここでは、エリアサーバ１の需要量予測手段２６はエリアＥ１の需要量予測値として７００Ｗ／ｈを算出する。同様に、エリアサーバ２がセンタサーバ１０の需要量予測取得手段１１から需要量予測値の算出要求を受け取ると、エリアサーバ２の需要量予測手段２６は、記憶部２５のテーブル（図９（ａ）参照）を参照して、エリアＥ２の需要量予測値を算出する（Ｓ１０３）。ここでは、エリアサーバ２の需要量予測手段２６はエリアＥ２の需要量予測値として３００Ｗ／ｈを算出する。エリアサーバ１、２はそれぞれ算出した需要量予測値をセンタサーバ１０へ送信する（Ｓ１０４）。
【００５３】
センタサーバ１０の需要量予測取得手段１１がエリアサーバ１、２から各需要量予測値を取得すると、配分手段１２は、各需要量予測値及び省電力目標値に基づき、上記式（１）より、エリアＥ１、Ｅ２のエリア目標値を算出する（Ｓ１０５）。ここでは配分手段１２は、各需要量予測値（７００Ｗ／ｈ、３００Ｗ／ｈ）及び省電力目標値（１０００Ｗ／ｈ）に基づき、エリアＥ１のエリア目標値７００Ｗ／ｈを算出し、エリアＥ２のエリア目標値３００Ｗ／ｈを算出する。配分手段１２は、エリア目標値７００Ｗ／ｈをエリアサーバ１に配分し、エリア目標値３００Ｗ／ｈをエリアサーバ２に配分する（Ｓ１０６）。
【００５４】
エリアサーバ１の目標値取得手段２１がセンタサーバ１０からエリア目標値７００Ｗ／ｈを取得すると、配分手段２２は、端末目標値を端末装置ａ１、ａ２、ａ３に配分する（Ｓ１０７）。ここでは配分手段２２は、端末装置ａ１に２２０Ｗ／ｈを配分し、端末装置ａ２に２３０Ｗ／ｈを配分し、端末装置ａ３に２５０Ｗ／ｈを配分する。同様に、エリアサーバ２の目標値取得手段２１がセンタサーバ１０からエリア目標値３００Ｗ／ｈを取得すると、配分手段２２は端末目標値を端末装置ｂ１に配分する（Ｓ１０７）。ここではエリアＥ２の端末装置ｂ１に３００Ｗ／ｈが配分される。
【００５５】
次に、エリアＥ１の端末装置ａ３がエリアＥ２に移動すると（図３参照）、エリアサーバ１の検出手段２３は端末装置ａ３がエリア１を退室したことを検出し、エリアサーバ２の検出手段２３は端末装置ａ３がエリアＥ２に入室したことを検出する（Ｓ１０８）。
【００５６】
次に、エリアサーバ１のエリア管理手段２４は、記憶部２５のテーブル（図７（ａ）参照）において端末装置ａ３の情報を削除する（図７（ｂ）参照）（Ｓ１０９）。またエリアサーバ２のエリア管理手段２４は、記憶部２５のテーブル（図９（ａ）参照）において端末装置ａ３の情報を追加する（図９（ｂ）参照）（Ｓ１０９）。
【００５７】
次に、エリアサーバ１の需要量予測手段２６は、記憶部２５のテーブル（図７（ｂ）参照）を参照して、エリアＥ１の変動後需要量予測値を算出する（Ｓ１１０）。ここでは、エリアサーバ１の需要量予測手段２６はエリアＥ１の変動後需要量予測値として４５０Ｗ／ｈを算出する。同様に、エリアサーバ２の需要量予測手段２６は、記憶部２５のテーブル（図９（ｂ）参照）を参照して、エリアＥ２の変動後需要量予測値を算出する（Ｓ１１０）。ここでは、エリアサーバ２の需要量予測手段２６はエリアＥ２の変動後需要量予測値として５５０Ｗ／ｈを算出する。エリアサーバ１、２はそれぞれ算出した変動後需要量予測値をセンタサーバ１０へ送信する（Ｓ１１１）。
【００５８】
センタサーバ１０の需要量予測取得手段１１がエリアサーバ１、２から各変動後需要量予測値を取得すると、配分手段１２は、各エリアＥ１、Ｅ２について、変動後需要量予測値と変動前需要量予測値との差が閾値（例えば１０％）以上であるか否かを判定し（Ｓ１１２）、該差が閾値以上である場合に、エリアＥ１、Ｅ２の補正エリア目標値を算出する。ここではエリアＥ１において、変動後需要量予測値４５０Ｗ／ｈと変動前需要量予測値７００Ｗ／ｈとの差２５０Ｗ／ｈが、変動前需要量予測値７００Ｗ／ｈの１０％（７０Ｗ／ｈ）以上であり、エリアＥ２において、変動後需要量予測値５５０Ｗ／ｈと変動前需要量予測値３００Ｗ／ｈとの差２５０Ｗ／ｈが、変動前需要量予測値３００Ｗ／ｈの１０％（３０Ｗ／ｈ）以上である。よって、配分手段１２は、各変動後需要量予測値及び省電力目標値に基づき、上記式（１）より、エリアＥ１、Ｅ２の補正エリア目標値を算出する（Ｓ１１３）。ここでは配分手段１２は、各変動後需要量予測値（４５０Ｗ／ｈ、５５０Ｗ／ｈ）及び省電力目標値（１０００Ｗ／ｈ）に基づき、エリアＥ１の補正エリア目標値４５０Ｗ／ｈを算出し、エリアＥ２の補正エリア目標値５５０Ｗ／ｈを算出する。配分手段１２は、補正エリア目標値４５０Ｗ／ｈをエリアサーバ１に再配分し、補正エリア目標値５５０Ｗ／ｈをエリアサーバ２に再配分する（Ｓ１１４）。
【００５９】
エリアサーバ１の目標値取得手段２１がセンタサーバ１０から補正エリア目標値４５０Ｗ／ｈを取得すると、配分手段２２は端末目標値を端末装置ａ１、ａ２に再配分する（Ｓ１１５）。ここでは配分手段２２は、端末装置ａ１に２２０Ｗ／ｈを再配分し、端末装置ａ２に２３０Ｗ／ｈを再配分する。同様に、エリアサーバ２の目標値取得手段２１がセンタサーバ１０から補正エリア目標値５５０Ｗ／ｈを取得すると、配分手段２２は、端末目標値を端末装置ｂ１、ａ３に再配分する（Ｓ１１５）。ここでは配分手段２２は、端末装置ｂ１に３００Ｗ／ｈを再配分し、端末装置ａ３に２５０Ｗ／ｈを再配分する。
【００６０】
［実施例２］
図１０は、実施例２に係る電力管理システム１の機能ブロック図である。実施例２に係る電力管理システム１では、実施例１に係る電力管理システム１のエリアサーバ２０がさらに過去情報取得手段２７を含んでいる。以下では、実施例１に係る電力管理システム１との相違点を中心に説明し、重複する説明は省略する。
【００６１】
実施例２に係る電力管理システム１では、需要量予測手段２６は、記憶部２５に記憶されている端末装置３０の情報（図７（ａ）のテーブル）に加えて、端末装置３０の過去の情報を考慮して需要量予測値を算出する。
【００６２】
過去情報取得手段２７は、端末装置３０の過去の情報、例えば過去の需要量予測値を過去情報記憶部４０から取得する。ここで過去情報記憶部４０には、全エリアに存在する端末装置３０の情報が記憶されている。具体的には、図１１（ａ）に示すように、端末装置３０と、該端末装置３０が存在するエリアと、該端末装置３０のユーザと、該端末装置３０の過去の消費データと、消費電力と、更新日とがテーブルに対応付けられている。なお、過去情報記憶部４０は、センタサーバ１０内に設けられていてもよいし、センタサーバ１０とは別個の管理サーバ（図示せず）内に設けられていてもよい。
【００６３】
需要量予測手段２６は、センタサーバ１０の需要量予測取得手段１１から需要量予測値の算出要求を受け取ると、記憶部２５に記憶されている端末装置３０の情報（図７（ａ）のテーブル）と、過去情報取得手段２７により取得された端末装置３０の過去の情報（図１１（ａ）のテーブル）とに基づいて、エリアＥ１の需要量予測値を算出する。需要量予測手段２６は、算出した需要量予測値をセンタサーバ１０へ送信する。
【００６４】
ここで、需要量予測値の算出方法について説明する。図１２は、過去情報取得手段２７及び需要量予測手段２６の動作フローである。ここではエリアＥ１の需要量予測値を算出する場合を例に挙げる。
【００６５】
まず過去情報取得手段２７は、端末装置３０の情報（図１１（ａ）のテーブル）を参照して、現在のエリアＥ１に存在する端末装置において、エリア、ユーザ及び端末装置の全てが一致する端末装置があるか否かを判定し（Ｓ２０１）、あれば該端末装置の過去の消費データを取得する（Ｓ２０２）。需要量予測手段２６は、取得された消費データに基づいて需要量予測値を算出する（Ｓ２０３）。図１３（ａ）は、エリア、ユーザ及び端末装置の全てが一致する場合の過去の消費データと、需要量予測値を算出するための予測データとを示している。図１３のグラフの横軸は時間を示し、縦軸は消費電力を示している。
【００６６】
エリア、ユーザ及び端末装置の全てが一致する端末装置が、エリアＥ１に存在せず（Ｓ２０１でＮＯ）、エリア及びユーザが一致する端末装置が存在する場合（Ｓ２０４でＹＥＳ）、該端末装置の過去の消費データを取得する（Ｓ２０５）。次に需要量予測手段２６は、図１１（ａ）のテーブルを参照して該端末装置の消費電力を取得する（Ｓ２０６）。次に需要量予測手段２６は、取得した消費電力に基づいて、過去情報取得手段２７により取得された消費データを補正して（Ｓ２０７）、補正した消費データに基づいて需要量予測値を算出する（Ｓ２０３）。図１３（ｂ）は、エリアＥ１及びユーザが一致する場合の過去の消費データと、需要量予測値を算出するための補正後の予測データとを示している。このケースでは、ユーザの使用方法や使用傾向に応じた需要量予測値が算出される。
【００６７】
エリア及びユーザが一致する端末装置がエリアＥ１に存在せず（Ｓ２０４でＮＯ）、同じ組織に所属するユーザが使用する端末装置が存在する場合（Ｓ２０８でＹＥＳ）、該端末装置の過去の消費データを取得する（Ｓ２０５）。このケースでは、同じ組織に所属するユーザの使用方法や使用傾向に応じた需要量予測値が算出される。なおユーザと所属組織の情報は図１１（ｂ）のテーブルに対応付けられている。図１３（ｃ）は、同じ組織に所属するユーザが使用する端末装置の過去の消費データと、需要量予測値を算出するための補正後の予測データとを示している。なお、図１３（ｃ）では、複数のユーザＸ、Ｙが該当する場合を示しており、この場合はそれぞれの補正後の消費データを平均化したデータを予測データとする。
【００６８】
同じ組織に所属するユーザが一致する端末装置がエリアＥ１に存在しない場合は（Ｓ２０８でＮＯ）、エリアＥ１に存在する任意の端末装置の過去の消費データを取得する（Ｓ２０９でＹＥＳ）。なお、任意の端末装置がエリアＥ１に存在しない場合は（Ｓ２０９でＮＯ）、需要量予測手段２６は、記憶部２５に記憶されている端末装置３０の情報（図７（ａ）のテーブル）に基づいて需要量予測値を算出する（Ｓ２０３）。
【００６９】
［実施例３］
図１４は、実施例３に係る電力管理システム１の機能ブロック図である。実施例３に係る電力管理システム１では、実施例１に係る電力管理システム１のエリアサーバ２０がさらにユーザ検出手段２８及びユーザ管理手段２９を含んでいる。以下では、実施例１に係る電力管理システム１との相違点を中心に説明し、重複する説明は省略する。
【００７０】
ユーザ検出手段２８は、エリアＥ１内に存在するユーザを検出する。例えばユーザ検出手段２８は、各ユーザが所持するＩＤカードによる入退室記録を取得してエリアＥ１内に存在するユーザを検出する。なお各ユーザがＧＰＳを所持する場合は、ユーザ検出手段２８はＧＰＳを利用してユーザを検出してもよい。ユーザ検出手段２８は、検出結果をユーザ管理手段２９へ送信する。また、ユーザがエリアＥ１から退室した場合及びユーザがエリアＥ１に入室した場合、ユーザ検出手段２８は、その旨を示す情報をユーザ管理手段２９へ送信する。
【００７１】
ユーザ管理手段２９は、エリアＥ１内に存在するユーザを管理する。また、ユーザ管理手段２９は、ユーザ検出手段２８から上記検出結果を受信すると、エリアＥ１内に存在するユーザの情報を更新する。エリアＥ１に存在するユーザの情報は記憶部２５に記憶されており、ユーザ管理手段２９により適宜更新される。なお各ユーザの情報は、全てのユーザの情報を一元管理する、エリアサーバ２０とは別個の管理サーバ（図示せず）から取得してもよい。
【００７２】
ここで、ユーザを検出した場合の需要量予測値の算出方法について、図１５の動作フローを用いて説明する。ここではエリアＥ１にユーザＡ、Ｂ、Ｃが存在している場合を例に挙げる。また、エリアＥ１には、２台のＰＣと、複数のユーザにより使用される２台のプリンタＰ１、Ｐ２とが存在するものとする。記憶部２５には、各端末装置の識別情報を示すテーブル（図１６（ａ）参照）と、プリンタの情報を示すテーブル（図１６（ｂ）参照）とが記憶されている。なお、プリンタの情報は、エリア管理手段２４が、全てのプリンタの情報を一元管理する管理サーバ（図示せず）から取得してもよい。
【００７３】
まずユーザ検出手段２８は、エリアＥ１内に存在するユーザＡ、Ｂ、Ｃを検出する（Ｓ３０１）。ユーザ管理手段２９はユーザＡ、Ｂ、Ｃの情報を記憶部２５に記憶する。次に、需要量予測手段２６は、記憶部２５からエリアＥ１に存在するプリンタの情報（図１６（ｂ）参照）を取得する（Ｓ３０２）。
【００７４】
次に需要量予測手段２６は、プリンタ毎にユーザによる使用実績としての出力枚数を取得する（Ｓ３０３）。ここでは、ユーザＡについて、プリンタＰ１の７０枚／時とプリンタＰ２の０枚／時が取得される。次に需要量予測手段２６は、取得した出力枚数のうち最大値を取得する（Ｓ３０４）。ここでは７０枚／時が取得される。
【００７５】
次にＳ３０５に移行し、他のユーザがいればＳ３０３に戻る。ここではユーザＢについて、プリンタＰ１の１０枚／時とプリンタＰ２の５枚／時が取得される。需要量予測手段２６は、取得した出力枚数のうち最大値を取得する（Ｓ３０４）。ここでは１０枚／時が取得される。同様にユーザＣについてもＳ３０３の処理が繰り返され、ここではユーザＣについて、プリンタＰ１の０枚／時が取得される。
【００７６】
エリアＥ１内の全てのユーザについて上記処理が行われると、需要量予測手段２６は、上記取得した各出力枚数（最大値）を合算する（Ｓ３０６）。ここでは、合計８０枚／時となる。次に需要量予測手段２６は、出力枚数とプリンタ消費電力との関係を示すグラフ（図１７参照）に基づいて、出力枚数（最大値）の合計数に対応するプリンタ消費電力を取得する（Ｓ３０７）。ここでは、合計８０枚／時に対応する１５０Ｗ／ｈを取得する。
【００７７】
需要量予測手段２６は、上記取得したプリンタ消費電力を、実施例１の処理（図８参照）により取得される他の端末装置（ＰＣ１、ＰＣ２）の消費電力に加えて、エリアＥ１の需要量予測値又は変動後需要量予測値を算出する（Ｓ３０８）。
【００７８】
ここで、例えばユーザＡがエリアＥ１を退室した場合は、図１５に示す上記処理が実行され、エリアＥ１の変動後需要量予測値が算出される。この場合、出力枚数の合計が８０枚／時から１０枚／時に減少する。合計１０枚／時に対応するプリンタ消費電力は５０Ｗ／ｈであるため、変動後需要量予測値は、少なくともプリンタ消費電力に関する１００Ｗ／ｈだけ小さくなる。
【００７９】
本発明は上記実施形態に限定されない。上記実施形態では、端末装置やユーザのエリア間の移動を検出する度に再配分の処理を実行する構成であるが、これに限定されず、所定の周期、日時（例えば、毎日午前中・午後１回ずつ、毎週末１回、毎月末１回等）に再配分の処理を実行する構成としてもよい。
【００８０】
上述した電力管理システム１に備えられる上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてもよい。なお、プログラムは光ディスク、磁気ディスク、磁気テープ、光磁気ディスク、フラッシュメモリ等の情報記憶媒体によってコンピュータたる電力管理システム１に供給されることとしてもよいし、インターネット等のデータ通信網を介して電力管理システム１に供給されることとしてもよい。
【符号の説明】
【００８１】
１  電力管理システム、１０  センタサーバ、１１  需要量予測取得手段、１２  配分手段、２０  エリアサーバ、２１  目標値取得手段、２２  配分手段、２３  検出手段、２４  エリア管理手段、２５  記憶部、２６  需要量予測手段、２７  過去情報取得手段、２８  ユーザ検出手段、２９  ユーザ管理手段、３０  端末装置、４０  過去情報記憶部。
【図１】
2015023745.tif 000003
【図２】
2015023745.tif 000004
【図３】
2015023745.tif 000005
【図４】
2015023745.tif 000006
【図５】
2015023745.tif 000007
【図６】
2015023745.tif 000008
【図７】
2015023745.tif 000009
【図８】
2015023745.tif 000010
【図９】
2015023745.tif 000011
【図１０】
2015023745.tif 000012
【図１１】
2015023745.tif 000013
【図１２】
2015023745.tif 000014
【図１３】
2015023745.tif 000015
【図１４】
2015023745.tif 000016
【図１５】
2015023745.tif 000017
【図１６】
2015023745.tif 000018
【図１７】
2015023745.tif 000019